【事件の表示】
　特願２０１６−　３４６４８「選択支援プログラム、装置、及び方法」拒絶査定不服審判事件〔平成２９年　８月３１日出願公開、特開２０１７−１５１８００、請求項の数（８）〕について、次のとおり審決する。
【結　論】
　原査定を取り消す。
　本願の発明は、特許すべきものとする。
【理　由】
第１　手続きの経緯
　本願は、平成２８年２月２５日の出願であって、その手続の経緯は以下のとおりである。
　令和元年７月４日付け　　　：拒絶理由通知
　令和元年９月５日　　　　　：意見書の提出
　令和元年１０月７日付け　　：拒絶査定（以下、「原査定」という。）
　令和２年１月１０日　　　　：審判請求書、手続補正書の提出
　令和２年１２月２３日付け　：拒絶理由通知（以下、「当審拒絶理由通知　　　　　　　　　　　　　　　」という。）
　令和３年３月１日　　　　　：意見書、手続補正書の提出
第２　本願発明
　
　本願の請求項１−８に係る発明（以下、それぞれ「本願発明１」−「本願発明８」という。）は、令和３年３月１日になされた手続補正で補正された特許請求の範囲の請求項１−８に記載された事項により特定される発明であり、本願発明１−本願発明８は、以下のとおりの発明である。
「　　【請求項１】
　画面上を移動可能なポインタに対する移動指示の入力を受け付け、
　複数の選択候補のうちのいずれかの選択候補であって選択されている選択候補のみを表示する第１の表示部品上に、前記ポインタが重畳していることを検出した場合に、前記第１の表示部品が表示されている領域を、前記複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを含む表示に切り替え、
　前記第２の表示部品には、前記選択されている選択候補を表示し、
　前記第１の領域に前記ポインタがある状態でボタンを押す入力操作を受け付ける度に、前記第２の表示部品に、前記複数の選択候補に含まれる各選択候補を１つずつ所定の順で切り替えて表示し、
　前記第２の領域に前記ポインタがある状態でボタンを押す入力操作を受け付けた場合に、前記複数の選択候補に含まれる２以上の選択候補を一覧にし、かついずれかの選択候補を選択可能にしたリストを、前記第３の表示部品に近接した領域に表示する
　処理をコンピュータに実行させることを特徴とする選択支援プログラム。
　　【請求項２】
　前記リスト表示は、前記複数の選択候補の全て、又は、前記複数の選択候補のうちの、２以上の所定の数の選択候補を表示するリスト表示である、ことを特徴とする請求項１に記載の選択支援プログラム。
　　【請求項３】
　前記リスト表示は、リスト表示した前記２以上の選択候補のうちのいずれかの選択を受け付けるリスト表示であり、前記第２の表示部品が表示する選択候補を、前記リスト表示の中から選択された選択候補に切り替える、ことを特徴とする請求項１又は請求項２に記載の選択支援プログラム。
　　【請求項４】
　画面上を移動可能なポインタに対する移動指示の入力を受け付け、
　複数の選択候補のうちのいずれかの選択候補であって選択されている選択候補のみを表示する第１の表示部品上に、前記ポインタが重畳していることを検出した場合に、前記第１の表示部品が表示されている領域を、複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを隣接させた表示に切り替え、
　前記切替表示部品には、前記選択されている選択候補を表示し、
　前記切替表示部品に前記ポインタがある状態でボタンを押す入力操作を受け付けた場合に、前記切替表示部品が表示する選択候補を前記所定の順で切り替えて表示し、
　前記リスト表示部品に前記ポインタがある状態でボタンを押す入力操作を受け付けた場合に、前記複数の選択候補に含まれる２以上の選択候補をリスト表示し、
　リスト表示された前記２以上の選択候補のうちのいずれかの選択に応じて、選択された選択候補を前記所定の順を経ずに前記切替表示部品の表示対象の選択候補に切り替える制御を実行する、
　処理をコンピュータに実行させることを特徴とする選択支援プログラム。
　　【請求項５】
　画面上を移動可能なポインタに対する移動指示の入力を受け付ける受付部と、
　複数の選択候補のうちのいずれかの選択候補であって選択されている選択候補のみを表示する第１の表示部品上に、前記ポインタが重畳していることを検出する検出部と、
　前記検出部による検出に応じて、前記第１の表示部品が表示されている領域を、前記複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを含む表示に切り替る表示制御部と、を含み、
　前記表示制御部は、前記第２の表示部品には前記選択されている選択候補を表示し、前記第１の領域に前記ポインタがある状態でボタンを押す入力操作を受け付ける度に前記複数の選択候補に含まれる各選択候補を１つずつ所定の順で切り替えて前記第２の表示部品に表示し、前記第２の領域に前記ポインタがある状態でボタンを押す入力操作を受け付けた場合に、前記複数の選択候補に含まれる２以上の選択候補を一覧にし、かついずれかの選択候補を選択可能にしたリストを、前記第３の表示部品に近接した領域に表示する、
　ことを特徴とする選択支援装置。
　　【請求項６】
　画面上を移動可能なポインタに対する移動指示の入力を受け付ける受付部と、
　複数の選択候補のうちのいずれかの選択候補であって選択されている選択候補のみを表示する第１の表示部品上に、前記ポインタが重畳していることを検出する検出部と、
　前記検出部による検出に応じて、前記第１の表示部品が表示されている領域を、複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを隣接させた表示に切り替える表示制御部を含み、
　前記表示制御部は、前記切替表示部品に前記選択されている選択候補を表示し、前記切替表示部品に前記ポインタがある状態でボタンを押す入力操作を受け付けた場合に、前記切替表示部品が表示する選択候補を前記所定の順で切り替えて表示し、前記リスト表示部品に前記ポインタがある状態でボタンを押す入力操作を受け付けた場合に、前記複数の選択候補に含まれる２以上の選択候補をリスト表示し、リスト表示された前記２以上の選択候補のうちのいずれかの選択に応じて、選択された選択候補を前記所定の順を経ずに前記切替表示部品の表示対象の選択候補に切り替える制御を実行する、
　ことを特徴とする選択支援装置。
　　【請求項７】
　画面上を移動可能なポインタに対する移動指示の入力を受け付け、
　複数の選択候補のうちのいずれかの選択候補であって選択されている選択候補のみを表示する第１の表示部品上に、前記ポインタが重畳していることを検出した場合に、前記第１の表示部品が表示されている領域を、前記複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを含む表示に切り替え、
　前記第２の表示部品には現在選択されている選択候補を表示し、
　前記第１の領域に前記ポインタがある状態でボタンを押す入力操作を受け付ける度に、前記複数の選択候補に含まれる各選択候補を１つずつ所定の順で切り替えて前記第２の表示部品に表示し、
　前記第２の領域に前記ポインタがある状態でボタンを押す入力操作を受け付けた場合に、前記複数の選択候補に含まれる２以上の選択候補を一覧にし、かついずれかの選択候補を選択可能にしたリストを、前記第３の表示部品に近接した領域に表示する
　処理をコンピュータが実行することを特徴とする選択支援方法。
　　【請求項８】
　画面上を移動可能なポインタに対する移動指示の入力を受け付け、
　複数の選択候補のうちのいずれかの選択候補であって選択されている選択候補のみを表示する第１の表示部品上に、前記ポインタが重畳していることを検出した場合に、前記第１の表示部品が表示されている領域を、複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを隣接させた表示に切り替え、
　前記切替表示部品には、前記選択されている選択候補を表示し、　前記切替表示部品に前記ポインタがある状態でボタンを押す入力操作を受け付けた場合に、前記切替表示部品が表示する選択候補を前記所定の順で切り替えて表示し、
　前記リスト表示部品に前記ポインタがある状態でボタンを押す入力操作を受け付けた場合に、前記複数の選択候補に含まれる２以上の選択候補をリスト表示し、
　リスト表示された前記２以上の選択候補のうちのいずれかの選択に応じて、選択された選択候補を前記所定の順を経ずに前記切替表示部品の表示対象の選択候補に切り替える制御を実行する、
　処理をコンピュータが実行することを特徴とする選択支援方法。」
第３　引用文献、引用発明等
１．引用文献１の記載事項について
（１）引用文献１の記載
　原査定の拒絶の理由に引用された引用文献１（米国特許出願公開第２００３／０１９３５２５号明細書）には、図面とともに次の事項が記載されている（下線は、当審付与。以下同様。）。
ア
「[0033] Refer now to, wherein is depicted a simplified block diagram 1 of an example hardware environment wherein automatic sequential selection and implementation of items in an arbitrarily ordered list of menu items is useful. In particular, data signals within a System Under Test (SUT) 2 are coupled by a plurality of probe connections 3 to a respectively associated plurality of channels within an 
Eye Diagram Analyzer (EDA) 4
The EDA has a display 5 upon which are visible various menus 6 and other Graphical User Interface (GUI) elements 6 in order that within a window 7 various displayed results 8 may be presented.
In this
example
are composite eye diagrams
As part of the equipment to manipulate the GUI the EDA 4 is equipped with a pointing device 9,
which
happens to be a mouse
（当審による対訳）
「[0033]
ここで参照すると、メニュー項目の任意に順序付けられたリスト内の項目の自動順次選択および実装が有用である例示的なハードウェア環境の簡略ブロック図1が示されている。特に、システム・アンダー・テスト(SUT)2内のデータ信号は、複数のプローブ接続3によって、
アイ・ダイアグラム・アナライザ(EDA)
EDAは、ウィンドウ7内に様々な表示結果8を提示することができるように、様々なメニュー6および他のグラフィカルユーザインターフェース(GUI)要素6が見えるディスプレイ5を有す
この
例では、
合成アイダイアグラムであ
GUIを操作するための機器の一部として、EDA4はポインティングデバイス9を備え
このポインティングデバイス
は
マウスであ
イ
「[0035] To begin, then, a couple of notes are in order 
about the actual composite eye diagram 25 depicted in the measurement window/region (7, 11)
That means that it is the “merging” 
of several 
individual “component” eye diagrams
The eye diagram 25 is a composite, since selected legend 20 in menu 19 is “All 64 bits”
（当審による対訳）
「[0035]
まず、
測定ウィンドウ/領域(7, 11)に描かれた実際の合成アイダイアグラム25に関して、
これは、いくつかの
個々の「成分の」アイダイアグラムの「マージ」
であることを意味す
メニュー19において選択された凡例20は「＜ALL 64 BITS＞」であるので、アイダイアグラム25は合成であ
ウ
「[0038] Without further ado, then, refer now to FIG.3. 
A mouse pointer
icon 29 has been positioned (by operator motion of mouse 9) over 
Menu Expansion button 21, which button was then “clicked”
to produce an opened drop-down
menu 31
Menu 31 is a list of menu items including the already selected All 64 bits legend (menu list item 30)
Beneath that are, in some arbitrary order
other menu items in the list 31
（当審による対訳）
「[0038]
さらなる面倒なしに、ここで図3を参照する。
マウスポインタ
アイコン29は、メニュー拡張ボタン21の上
に
(マウス9のオペレータ動作によって)配置されて、
開いたドロップダウン
 メニュー31を生成するために、このボタンを
「クリック」す
メニュー31は、既に選択された「All 64 bits」の凡例(メニューリスト項目30)を含むメニュー項目のリストであ
その下には、
何らかの任意の順序で、リスト31内に他のメニュー項目があ
エ
「[0039] Now, we might have good reason to suspect that the trouble does not involve channels eight, nine or ten. Say, we already had an earlier occasion to investigate them, and they were clean, so to speak. So, to save time 
we would like to begin our automatic sequential selection of the menu items in the list with channel eleven. Such a starting channel can be individually selected by positioning the pointer icon 29 over the menu item (say, 32) to be selected
Refer to FIG.4
Once this
selection is made the menu 19 closes, and appears as shown in FIG.5
That is, menu list item 32 appears in the window of closed menu 19
[0040] 
At the same time, the composite eye diagram 25 changes to show a highlighted channel eleven
[0041] The operator inspects the eye diagram 25 in FIG.6, and decides that there is nothing wrong with channel eleven. At this point (or perhaps previously) 
pointer icon 29 is positioned on, over
Next Item Selection button 23, as shown in FIGS. 5 and 6
the operator clicks Next Item Selection button 23
The Display menu 19 changes to appear as shown in FIG.7
The displayed legend 34 is “bit 14: Pod C2 Channel 23”
this is the menu list item beneath the one (32) associated with FIG.5
Clicking on the Next Item Selection button 23 traverses down the list of menu items 31, selecting the next item downwards at each click
and there will be a corresponding highlighted composite eye diagram visible in window 7, 11
[0042] 
Once again the operator clicks on Next Item Selection button 23. Now the Display menu 19 changes to appear as shown in FIG.8, with the legend 35 being “bit 15: Pod C2 Channel 24”
this is the menu list item beneath the one (34) associated with FIG.7
[0043] 
Now the operator gives the Next Item Selection button 23 still another click. This produces a selection of channel thirty-six
See FIG.9
The operator observes the legend 36 “bit 28 Pod D1 Channel 36”
（当審による対訳）
「[0039]
ここで、障害がチャネル８、９又は１０には含まれないという適当な理由があるかも知れない。例えば、我々は、それらを調査するために以前に機会を既に有しており、それらは、いわば明らかであったとする。そうすると、時間を節約するために、
チャネル１１を有するリスト内のメニュー項目の自動順次選択を開始したい
このような開始チャンネルは、選択されるべきメニュー項目(例えば、32)の上にポインタアイコン29を位置決めすることによって個々に選択することができ
この
選択が行われると、メニュー19は閉じ、
メニューリスト項目32は、閉じたメニュー19のウィンドウに現れ
 [0040]
同時に、合成アイダイアグラム25は、強調表示されたチャンネル１１を示すように変化す
 [0041]
操作者は、図6のアイダイアグラム25を検査する。そして、チャネル11に異常がないと判定する。この時点で(またはおそらく以前に)、
ポインタアイコン29は、
次の項目選択ボタン23の上に、
配置され
オペレータは次の項目選択ボタン23をクリックす
表示メニュー19は、図7に示すように変化す
表示された凡例34は、「BIT 14:POD C2 CHANNEL 23」であ
これは、図5に関連するメニューリスト項目(32)の下のメニューリスト項目であ
次の項目選択ボタン23をクリックすると、メニュー項目31のリストを下方に移動し、各クリックで次の項目を下方に選択す
ウィンドウ7, 11には、対応する強調表示された合成アイダイアグラムが見え
[0042]
ここで、オペレータは次の項目選択ボタン23をさらにクリックす
表示メニュー19は、図8に示すように変化す
図8では、凡例35は「BIT 15:POD C2 CHANNEL 24」であ
これは、図7に関連するメニューリスト項目(34)の下のメニューリスト項目であ
[0043]
次に、オペレータは、次の項目選択ボタン23をさらにもう1回クリックす
これにより、チャネル36の選択が生成され
操作者は、凡例36「bit 28 Pod D1 Channel 36」を観察し、
オ
「[0044] Now for some variations. 
What Previous Item Selection button 22 does is traverse the list of menu items in the other (upward) direction
Once a traverse is begun, in either direction, when the end of the list is reached
the traverse wraps
This make good sense, since highlighting all bits is equivalent to no highlighting at all . . . What’s more, it may be desirable to arrange things so that if there is no initial selection as in FIG.4 and 5, an initial use of the one of the Item Selection buttons (22, 23) defaults to the top of the menu item list (for button 23) and to the bottom of the list (for button 22). Also, we note that for other applications of the Next Item and Previous Item Selection buttons, the nature of the environment within which something is automatically done with the selected item (i.e., how it is “implemented” once selected) may be such that there is nothing that corresponds to highlighting, and no menu entry corresponding to the “All...bits“ pro forma entry (which essentially means “select all”). Perhaps highlighting (and the pro forma or “select all” entry) are specific to a particular class of applications, within which is composite eye diagrams. None the less, it still makes good sense in many classes of applications 
to be able to automatically and sequentially cycle through the items in a menu, where there is a distinctly appreciated automatic implementation for each selection
（当審による対訳）
「[0044]
次に、いくつかの変形例について説明する。
前項目選択ボタン22が行うことは、メニュー項目のリストを他の(上方)方向に移動することであ
移動がいずれかの方向に開始されると、リストの終わりに達したとき
移動は循環す
メニュー内の項目を自動的かつ連続的に循環できることは、
各選択に対して明らかに評価される自動的な実装である
カ　図２
「
」
キ　図３−図５
「
」
上記図3及び図4を参照すると、「メニュー項目31」は、「メニュー拡張ボタン21」の領域に
近接して
ク　図６
「
」
ケ　図７−図９
「
」
（２）引用発明
　ア　引用装置発明
　上記（１）の記載からみて、上記引用文献１には次の発明（以下、「引用装置発明」という。）が記載されていると認められる。
「アイ・ダイアグラム・アナライザ(EDA)4は、ウィンドウ7内に様々な表示結果8を提示することができるように、様々なメニュー6および他のグラフィカルユーザインターフェース(GUI)要素6が見えるディスプレイ5を有し、この例では、合成アイダイアグラムであり、GUIを操作するための機器の一部として、EDA4はポインティングデバイス9を備え、このポインティングデバイスはマウスであり、
　測定ウィンドウ/領域(7, 11)に描かれた実際の合成アイダイアグラム25に関して、これは、いくつかの個々の「成分の」アイダイアグラムの「マージ」であることを意味し、メニュー19において選択された凡例20は「＜ALL 64 BITS＞」であるので、アイダイアグラム25は合成であり、
　マウスポインタアイコン29は、メニュー拡張ボタン21の上に(マウス9のオペレータ動作によって)配置されて、メニュー拡張ボタン21に近接した領域に、開いたドロップダウンメニュー項目31を生成するために、このボタンを「クリック」し、メニュー項目31は、既に選択された「All 64 bits」の凡例(メニューリスト項目30)を含むメニュー項目のリストであり、その下には、何らかの任意の順序で、メニュー項目31内に他のメニュー項目があり、
　チャネル１１を有するリスト内のメニュー項目の自動順次選択を開始し、このような開始チャンネルは、選択されるべきメニュー項目(例えば、32)の上にポインタアイコン29を位置決めすることによって個々に選択することができ、この選択が行われると、メニュー19は閉じ、メニューリスト項目32は、閉じたメニュー19のウィンドウに現れ、同時に、合成アイダイアグラム25は、強調表示されたチャンネル１１を示すように変化し、
　ポインタアイコン29は、次の項目選択ボタン23の上に配置され、オペレータは次の項目選択ボタン23をクリックし、表示メニュー19は、メニューリスト項目(32)の下のメニューリスト項目である「BIT 14:POD C2 CHANNEL 23」で示される凡例34を表示するように変化し、次の項目選択ボタン23をクリックすると、メニュー項目31のリストを下方に移動し、各クリックで次の項目を下方に選択し、ウィンドウ7, 11には、対応する強調表示された合成アイダイアグラムが見え、
　再び、オペレータは次の項目選択ボタン23をクリックし、表示メニュー19は、メニューリスト項目(34)の下のメニューリスト項目である「BIT 15:POD C2 CHANNEL 24」で示される凡例35を表示するように変化し、
　次に、オペレータは、次の項目選択ボタン23をさらにもう1回クリックし、これにより、チャネル36が選択され、操作者は、凡例36「bit 28 Pod D1 Channel 36」を観察し、
　前項目選択ボタン22が行うことは、メニュー項目のリストを他の(上方)方向に移動することであり、移動がいずれかの方向に開始されると、リストの終わりに達したとき、移動は循環し、メニュー内の項目を自動的かつ連続的に循環できることは、各選択に対して明らかに評価される自動的な実装である
　アイ・ダイアグラム・アナライザ(EDA)4。」
　イ　引用プログラム発明
　また、上記（１）の記載からみて、引用文献１の「アイ・ダイアグラム・アナライザ(EDA)4」における「グラフィカルユーザインターフェース(GUI)」の「操作」に基づく動作として記載されている内容は、当該「グラフィカルユーザインターフェース(GUI)」を実装する「アイ・ダイアグラム・アナライザ(EDA)4」が備えるコンピュータにより実行される「プログラム」を構成しているといえる。したがって、上記引用文献１には次の発明（以下、「引用プログラム発明」という。）が記載されていると認められる。
「アイ・ダイアグラム・アナライザ(EDA)4は、ウィンドウ7内に様々な表示結果8を提示することができるように、様々なメニュー6および他のグラフィカルユーザインターフェース(GUI)要素6が見えるディスプレイ5を有し、この例では、合成アイダイアグラムであり、GUIを操作するための機器の一部として、EDA4はポインティングデバイス9を備え、このポインティングデバイスはマウスであり、
　測定ウィンドウ/領域(7, 11)に描かれた実際の合成アイダイアグラム25に関して、これは、いくつかの個々の「成分の」アイダイアグラムの「マージ」であることを意味し、メニュー19において選択された凡例20は「＜ALL 64 BITS＞」であるので、アイダイアグラム25は合成であり、
　マウスポインタアイコン29は、メニュー拡張ボタン21の上に(マウス9のオペレータ動作によって)配置されて、メニュー拡張ボタン21に近接した領域に、開いたドロップダウンメニュー項目31を生成するために、このボタンを「クリック」し、メニュー項目31は、既に選択された「All 64 bits」の凡例(メニューリスト項目30)を含むメニュー項目のリストであり、その下には、何らかの任意の順序で、メニュー項目31内に他のメニュー項目があり、
　チャネル１１を有するリスト内のメニュー項目の自動順次選択を開始し、このような開始チャンネルは、選択されるべきメニュー項目(例えば、32)の上にポインタアイコン29を位置決めすることによって個々に選択することができ、この選択が行われると、メニュー19は閉じ、メニューリスト項目32は、閉じたメニュー19のウィンドウに現れ、同時に、合成アイダイアグラム25は、強調表示されたチャンネル１１を示すように変化し、
　ポインタアイコン29は、次の項目選択ボタン23の上に配置され、オペレータは次の項目選択ボタン23をクリックし、表示メニュー19は、メニューリスト項目(32)の下のメニューリスト項目である「BIT 14:POD C2 CHANNEL 23」で示される凡例34を表示するように変化し、次の項目選択ボタン23をクリックすると、メニュー項目31のリストを下方に移動し、各クリックで次の項目を下方に選択し、ウィンドウ7, 11には、対応する強調表示された合成アイダイアグラムが見え、
　再び、オペレータは次の項目選択ボタン23をクリックし、表示メニュー19は、メニューリスト項目(34)の下のメニューリスト項目である「BIT 15:POD C2 CHANNEL 24」で示される凡例35を表示するように変化し、
　次に、オペレータは、次の項目選択ボタン23をさらにもう1回クリックし、これにより、チャネル36が選択され、操作者は、凡例36「bit 28 Pod D1 Channel 36」を観察し、
　前項目選択ボタン22が行うことは、メニュー項目のリストを他の(上方)方向に移動することであり、移動がいずれかの方向に開始されると、リストの終わりに達したとき、移動は循環し、メニュー内の項目を自動的かつ連続的に循環できることは、各選択に対して明らかに評価される自動的な実装である
　アイ・ダイアグラム・アナライザ(EDA)4が備えるコンピュータにより実行されるプログラム。」
　ウ　引用方法発明
　また、上記（１）の記載からみて、引用文献１の「アイ・ダイアグラム・アナライザ(EDA)4」における「グラフィカルユーザインターフェース(GUI)」の「操作」に基づく動作として記載されている内容は、当該「グラフィカルユーザインターフェース(GUI)」を実装する「アイ・ダイアグラム・アナライザ(EDA)4」が備えるコンピュータにより実行される「方法」を構成しているといえる。したがって、上記引用文献１には次の発明（以下、「引用方法発明」という。）が記載されていると認められる。
「アイ・ダイアグラム・アナライザ(EDA)4は、ウィンドウ7内に様々な表示結果8を提示することができるように、様々なメニュー6および他のグラフィカルユーザインターフェース(GUI)要素6が見えるディスプレイ5を有し、この例では、合成アイダイアグラムであり、GUIを操作するための機器の一部として、EDA4はポインティングデバイス9を備え、このポインティングデバイスはマウスであり、
　測定ウィンドウ/領域(7, 11)に描かれた実際の合成アイダイアグラム25に関して、これは、いくつかの個々の「成分の」アイダイアグラムの「マージ」であることを意味し、メニュー19において選択された凡例20は「＜ALL 64 BITS＞」であるので、アイダイアグラム25は合成であり、
　マウスポインタアイコン29は、メニュー拡張ボタン21の上に(マウス9のオペレータ動作によって)配置されて、メニュー拡張ボタン21に近接した領域に、開いたドロップダウンメニュー項目31を生成するために、このボタンを「クリック」し、メニュー項目31は、既に選択された「All 64 bits」の凡例(メニューリスト項目30)を含むメニュー項目のリストであり、その下には、何らかの任意の順序で、メニュー項目31内に他のメニュー項目があり、
　チャネル１１を有するリスト内のメニュー項目の自動順次選択を開始し、このような開始チャンネルは、選択されるべきメニュー項目(例えば、32)の上にポインタアイコン29を位置決めすることによって個々に選択することができ、この選択が行われると、メニュー19は閉じ、メニューリスト項目32は、閉じたメニュー19のウィンドウに現れ、同時に、合成アイダイアグラム25は、強調表示されたチャンネル１１を示すように変化し、
　ポインタアイコン29は、次の項目選択ボタン23の上に配置され、オペレータは次の項目選択ボタン23をクリックし、表示メニュー19は、メニューリスト項目(32)の下のメニューリスト項目である「BIT 14:POD C2 CHANNEL 23」で示される凡例34を表示するように変化し、次の項目選択ボタン23をクリックすると、メニュー項目31のリストを下方に移動し、各クリックで次の項目を下方に選択し、ウィンドウ7, 11には、対応する強調表示された合成アイダイアグラムが見え、
　再び、オペレータは次の項目選択ボタン23をクリックし、表示メニュー19は、メニューリスト項目(34)の下のメニューリスト項目である「BIT 15:POD C2 CHANNEL 24」で示される凡例35を表示するように変化し、
　次に、オペレータは、次の項目選択ボタン23をさらにもう1回クリックし、これにより、チャネル36が選択され、操作者は、凡例36「bit 28 Pod D1 Channel 36」を観察し、
　前項目選択ボタン22が行うことは、メニュー項目のリストを他の(上方)方向に移動することであり、移動がいずれかの方向に開始されると、リストの終わりに達したとき、移動は循環し、メニュー内の項目を自動的かつ連続的に循環できることは、各選択に対して明らかに評価される自動的な実装である
　アイ・ダイアグラム・アナライザ(EDA)4が備えるコンピュータにより実行される方法。」
２．引用文献２の記載事項について
　原査定の拒絶の理由に引用された引用文献２（国際公開第２０１１／０１３５１４号）には、図面とともに次の事項が記載されている。
「【発明を実施するための形態】
【００１８】
　本発明の一実施形態に係る車両用操作装置を、図面を参照しながら以下に説明する。
　図１は、同実施形態に係る車両用操作装置１の概略構成を示す。この
車両用操作装置１
操作部２および制御手段（表示制御部）３を備える
この車両用操作装置１には、複数の車載装置である空調装置４およびオーディオ５がそれぞれ接続され
これら空調装置４およびオーディオ５の各操作項目は、操作可能にされ
【００１９】
　操作部２は、車両のダッシュボード上部に配置されるカーナビゲーション用ディスプレイ（不図示）の下方などの運転者の手が届きやすいハンドルの近くに配置されている。
この操作部２は、液晶等のディスプレイ（ＤＩＳＰ、表示部）６と、このディスプレイ６の表示面の全面に亘って配置されるタッチパネル（接近検知部、位置特定部）７と、を備え
【００２０】
　
ディスプレイ６は、制御手段３の制御指令に従ってアイコン表示画面９（図２参照）を表示す
このアイコン表示画面９には、空調装置４およびオーディオ５の各操作項目、例えば空調装置４の風量や設定温度、オーディオ５のボリュームやソース等にそれぞれ対応した複数のアイコン
がディスプレイ６の一画面上に収まるように配置され
【００２１】
　
タッチパネル７は、このタッチパネル７と人体の一部との距離が所定の距離以下になったことや、その人体の一部の接近位置を検知できる静電容量式などのタッチパネルであ
【００２２】
　
制御手段３は、
上述したディスプレイ６にアイコン表示画面９を表示させ
また、
ユーザによるアイコン表示画面９の選択する操作を検出す
「【００２９】
　まず、
図３に示すように、ディスプレイ６に表示されたソースアイコン１３上に操作指が近づきこの操作指とタッチパネル７との距離が所定距離以下に接近すると、制御手段３は、操作指の位置を検出してその位置に対応したソースアイコン１３が選択
されたと判定す
すると、制御手段３は、ディスプレイ６のアイコン表示画面９上に、ソースアイコン１３用の選択画面１３ａを重畳表示す
選択画面１３ａには、上から順に動作モードを示す「ＡＭ」、「ＦＭ」、「サテライト」、「ＣＤ」、「ＨＤＤ」、「ＡＵＸ」の各ソース名を示す文字が記載されて、現在選択されているソース名のみが白黒反転等で強調表示され
このように、設定値や動作モードの名前が縦一列で表示可能な場合は、例えば図４および図５に示す選択画面１２ａのように、表示が開始されるとソースアイコン１３の表示位置
から下方に向かって徐々に画面が拡大されて、表示開始から０．３〜０．４秒程度で表示が完了される
「【図２】
」
「【図３】
」
「【図４】
」
「【図５】
」
　したがって、上記引用文献２には次の技術的事項が特定されていると認められる。
「操作部２および制御手段（表示制御部）３を備える車両用操作装置１であって、
　この車両用操作装置１には、複数の車載装置である空調装置４およびオーディオ５がそれぞれ接続され、これら空調装置４およびオーディオ５の各操作項目は、操作可能にされ、
　この操作部２は、液晶等のディスプレイ（ＤＩＳＰ、表示部）６と、このディスプレイ６の表示面の全面に亘って配置されるタッチパネル（接近検知部、位置特定部）７と、を備え、
　ディスプレイ６は、制御手段３の制御指令に従ってアイコン表示画面９（図２参照）を表示し、このアイコン表示画面９には、空調装置４およびオーディオ５の各操作項目、例えば空調装置４の風量や設定温度、オーディオ５のボリュームやソース等にそれぞれ対応した複数のアイコンがディスプレイ６の一画面上に収まるように配置され、
　タッチパネル７は、このタッチパネル７と人体の一部との距離が所定の距離以下になったことや、その人体の一部の接近位置を検知できる静電容量式などのタッチパネルであり、
　制御手段３は、上述したディスプレイ６にアイコン表示画面９を表示させ、また、ユーザによるアイコン表示画面９の選択する操作を検出し、
　図３に示すように、ディスプレイ６に表示されたソースアイコン１３上に操作指が近づきこの操作指とタッチパネル７との距離が所定距離以下に接近すると、制御手段３は、操作指の位置を検出してその位置に対応したソースアイコン１３が選択されたと判定し、すると、制御手段３は、ディスプレイ６のアイコン表示画面９上に、ソースアイコン１３用の選択画面１３ａを重畳表示し、選択画面１３ａには、上から順に動作モードを示す「ＡＭ」、「ＦＭ」、「サテライト」、「ＣＤ」、「ＨＤＤ」、「ＡＵＸ」の各ソース名を示す文字が記載されて、現在選択されているソース名のみが白黒反転等で強調表示され、このように、設定値や動作モードの名前が縦一列で表示可能な場合は、例えば図４および図５に示す選択画面１２ａのように、表示が開始されるとソースアイコン１３の表示位置から下方に向かって徐々に画面が拡大されて、表示開始から０．３〜０．４秒程度で表示が完了される
　車両用操作装置１。」
第４　対比・判断
１．本願発明１について
（１）対比
　上記本願発明１と上記「第３　１．（２）イ」の引用プログラム発明とを対比すると、次のことがいえる。
ア．引用プログラム発明の「ディスプレイ5」及び「マウスポインタアイコン29」は、それぞれ本願発明１の「画面」及び「ポインタ」に相当する。そして、引用プログラム発明の「マウスポインタアイコン29」は、「マウス9のオペレータ動作によって」、「ディスプレイ5」に表示される「メニュー拡張ボタン21の上」や「次の項目選択ボタン23の上」に「配置され」ることから、引用プログラム発明は、「ディスプレイ5」の表示において「オペレータ動作によって」「マウスポインタアイコン29」の「配置」を受け付けるといえる。したがって、引用プログラム発明と、本願発明１とは、「画面上を移動可能なポインタに対する移動指示の入力を受け付け」る点で共通する。
イ．引用プログラム発明の「選択されるべきメニュー項目」には、「チャンネル１１」を示す「メニューリスト項目32」、「凡例34」の「BIT 14:POD C2 CHANNEL 23」、「凡例35」の「BIT 15:POD C2 CHANNEL 24」、「凡例36」の「bit 28 Pod D1 Channel 36」などがあり、「選択されるべきメニュー項目(例えば、32)の上にポインタアイコン29を位置決めすることによって個々に選択することができ」ることから、これらの個々の「凡例」は、本願発明１の「選択候補」に相当する。また、これら「凡例34」、「凡例35」及び「凡例36」等の複数の「凡例」は、本願発明１の「複数の選択候補」に相当する。
ウ．引用プログラム発明では、「ポインタアイコン29は、次の項目選択ボタン23の上に配置され、オペレータは次の項目選択ボタン23をクリックし、表示メニュー19は、メニューリスト項目(32)の下のメニューリスト項目である「BIT 14:POD C2 CHANNEL 23」で示される凡例34を表示するように変化し、次の項目選択ボタン23をクリックすると、メニュー項目31のリストを下方に移動し、各クリックで次の項目を下方に選択し、」「再び、オペレータは次の項目選択ボタン23をクリックし、表示メニュー19は、メニューリスト項目(34)の下のメニューリスト項目である「BIT 15:POD C2 CHANNEL 24」で示される凡例35を表示するように変化し、次に、オペレータは、次の項目選択ボタン23をさらにもう1回クリックし、これにより、チャネル36が選択され、操作者は、凡例36「bit 28 Pod D1 Channel 36」を観察」するとの特定がされていることから、「オペレータは次の項目選択ボタン23をクリック」すると、「各クリック」により、「表示メニュー19」に表示された「凡例」は、変化し、これらの変化は「メニュー項目31のリストを下方に移動」する順序となっているものである。
　ここで、「メニュー項目31のリスト」は、複数の「凡例」が表示されたリストであることが見て取れるから、引用プログラム発明の「クリック」される毎に「メニュー項目31のリストを下方に移動」する順序で「表示メニュー19」に「表示された凡例」が変化する「次の項目選択ボタン23」と、本願発明１の「複数の選択候補に含まれる各選択候補を１つずつ所定の順で切り替えて表示する操作を受け付ける第２の表示部品
が表示される第１の領域
エ．引用プログラム発明では、「マウスポインタアイコン29は、メニュー拡張ボタン21の上に(マウス9のオペレータ動作によって)配置されて、メニュー拡張ボタン21に近接した領域に、開いたドロップダウンメニュー項目31を生成するために、このボタンを「クリック」」するとの特定がされており、引用プログラム発明の「メニュー項目31」は、引用文献１では「リスト31」とも記載され、当該「メニュー項目31」あるいは「リスト31」は、上記ウで示したように、「ドロップダウン」として「生成」される、複数の「凡例」を含む「メニュー項目31」であることから、引用プログラム発明の「オペレータ動作によって」「マウスポインタアイコン29」が「配置されて、」「クリック」されることで、複数の「凡例」を含む「メニュー項目31」であるリストを表示させる「メニュー拡張ボタン21」と、本願発明１の「前記複数の選択候補に含まれる２以上の選択候補をリスト表示させる指示を受け付ける第３の表示部品
が表示される第２の領域
オ．上記ウに示したように、引用プログラム発明の「表示メニュー19」は、「次の項目選択ボタン23」の「クリック」により、「各クリックで次の項目を下方に選択」した「凡例」を「表示」するから、本願発明１の「
第２の
前記第２の
カ．上記ア、ウ及びオを踏まえると、引用プログラム発明では、「ポインタアイコン29は、」「次の項目選択ボタン23の上に、配置され、」「次の項目選択ボタン23」を「クリック」する毎に、「表示メニュー19」に、「メニュー項目31のリストを下方に移動」する順序で「凡例」を「表示」することから、引用プログラム発明のこのクリックする毎に表示をすることと、本願発明１の「前記第１の領域に前記ポインタがある状態でボタンを押す入力操作を受け付ける度に、前記
第２の
キ．引用プログラム発明の「メニュー項目31」は、「マウスポインタアイコン29」を「メニュー拡張ボタン21の上に(マウス9のオペレータ動作によって)配置」し、「このボタンを「クリック」」した場合に、「ドロップダウン」としてを開くことにより「生成」される、複数の「凡例」を含む「メニュー項目のリスト」であり、また、「選択されるべきメニュー項目(例えば、32)の上にポインタアイコン29を位置決めすることによって個々に選択することができ」るものであるから、当該「メニュー項目31」は、本願発明１の「前記第２の領域に前記ポインタがある状態でボタンを押す入力操作を受け付けた場合に、前記複数の選択候補に含まれる２以上の選択候補を一覧にし、かついずれかの選択候補を選択可能にしたリスト」に相当する。
　そして、引用プログラム発明の当該「メニュー項目31」は、「メニュー拡張ボタン21に近接した領域」に生成されるものであるから、引用プログラム発明と本願発明１とは、「前記第２の領域に前記ポインタがある状態でボタンを押す入力操作を受け付けた場合に、前記複数の選択候補に含まれる２以上の選択候補を一覧にし、かついずれかの選択候補を選択可能にしたリストを、前記第３の表示部品に近接した領域に表示する」点で共通している。
ク．引用プログラム発明の「プログラム」は、「メニュー拡張ボタン21」や「次の項目選択ボタン23」により「オペレータ」に「凡例」を「選択」させるものであるから、後述する相違点を除き、本願発明１の「選択支援プログラム」に対応する。
　したがって、本願発明１と引用プログラム発明との間には、次の一致点、相違点があるといえる。
＜一致点＞
「　画面上を移動可能なポインタに対する移動指示の入力を受け付け、
　複数の選択候補に含まれる各選択候補を１つずつ所定の順で切り替えて表示する操作を受け付ける第２の表示部品が表示される第１の領域と、
　前記複数の選択候補に含まれる２以上の選択候補をリスト表示させる指示を受け付ける第３の表示部品が表示される第２の領域とを表示し、
　表示部品には、前記選択されている選択候補を表示し、
　前記第１の領域に前記ポインタがある状態でボタンを押す入力操作を受け付ける度に、前記表示部品に、前記複数の選択候補に含まれる各選択候補を１つずつ所定の順で切り替えて表示し、
　前記第２の領域に前記ポインタがある状態でボタンを押す入力操作を受け付けた場合に、前記複数の選択候補に含まれる２以上の選択候補を一覧にし、かついずれかの選択候補を選択可能にしたリストを、前記第３の表示部品に近接した領域に表示する
　処理をコンピュータに実行させることを特徴とする選択支援プログラム。」
＜相違点＞
（相違点１）
　本願発明１では、「複数の選択候補のうちのいずれかの選択候補であって選択されている選択候補のみを表示する第１の表示部品上に、前記ポインタが重畳していることを検出した場合に、前記第１の表示部品が表示されている領域を、前記複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを含む表示に切り替え」るのに対し、
　引用プログラム発明には、本願発明１の「第１の表示部品」に相当する構成がなく、このような特定はなされていない点。
（相違点２）
　「前記選択されている選択候補を表示し」、「前記第１の領域に前記ポインタがある状態でボタンを押す入力操作を受け付ける度に」、「前記複数の選択候補に含まれる各選択候補を１つずつ所定の順で切り替えて表示」する「表示部品」は、本願発明１では、「第２の表示部品」であるのに対し、引用プログラム発明では、「次の項目選択ボタン23」とは異なる「表示メニュー19」である点。
（２）相違点についての判断
　相違点１について検討すると、相違点１に係る本願発明１の「複数の選択候補のうちのいずれかの選択候補であって選択されている選択候補のみを表示する第１の表示部品上に、前記ポインタが重畳していることを検出した場合に、前記第１の表示部品が表示されている領域を、前記複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを含む表示に切り替え」るという構成は、上記引用文献２にも記載も示唆もされておらず、また、周知技術であるとも認められない。
　したがって、上記相違点２ついて判断するまでもなく、本願発明１は、当業者であっても引用プログラム発明及び引用文献２に記載された技術的事項に基づいて容易に発明できたものであるとはいえない。
２．本願発明２及び３について
　本願発明２及び３は、本願発明１の上記相違点１に係る構成を備えるものであるから、本願発明１と同じ理由により、当業者であっても引用プログラム発明及び引用文献２に記載された技術的事項に基づいて容易に発明できたものであるとはいえない。
３．本願発明４について
（１）対比
　上記本願発明４と上記「第３　１．（２）イ」の引用プログラム発明とを対比すると、次のことがいえる。
ア．引用プログラム発明の「ディスプレイ5」及び「マウスポインタアイコン29」は、それぞれ本願発明４の「画面」及び「ポインタ」に相当する。そして、引用プログラム発明の「マウスポインタアイコン29」は、「マウス9のオペレータ動作によって」、「ディスプレイ5」に表示される「メニュー拡張ボタン21の上」や「次の項目選択ボタン23の上」に「配置され」ることから、引用プログラム発明は、「ディスプレイ5」の表示において「オペレータ動作によって」「マウスポインタアイコン29」の「配置」を受け付けるといえる。したがって、引用プログラム発明と、本願発明４とは、「画面上を移動可能なポインタに対する移動指示の入力を受け付け」る点で共通する。
イ．引用プログラム発明の「選択されるべきメニュー項目」には、「チャンネル１１」を示す「メニューリスト項目32」、「凡例34」の「BIT 14:POD C2 CHANNEL 23」、「凡例35」の「BIT 15:POD C2 CHANNEL 24」、「凡例36」の「bit 28 Pod D1 Channel 36」などがあり、「選択されるべきメニュー項目(例えば、32)の上にポインタアイコン29を位置決めすることによって個々に選択することができ」ることから、これらの個々の「凡例」は、本願発明４の「選択候補」に相当する。また、これら「凡例34」、「凡例35」及び「凡例36」等の複数の「凡例」は、本願発明４の「複数の選択候補」に相当する。
ウ．引用プログラム発明では、「ポインタアイコン29は、次の項目選択ボタン23の上に配置され、オペレータは次の項目選択ボタン23をクリックし、表示メニュー19は、メニューリスト項目(32)の下のメニューリスト項目である「BIT 14:POD C2 CHANNEL 23」で示される凡例34を表示するように変化し、次の項目選択ボタン23をクリックすると、メニュー項目31のリストを下方に移動し、各クリックで次の項目を下方に選択し、」「再び、オペレータは次の項目選択ボタン23をクリックし、表示メニュー19は、メニューリスト項目(34)の下のメニューリスト項目である「BIT 15:POD C2 CHANNEL 24」で示される凡例35を表示するように変化し、次に、オペレータは、次の項目選択ボタン23をさらにもう1回クリックし、これにより、チャネル36が選択され、操作者は、凡例36「bit 28 Pod D1 Channel 36」を観察」するとの特定がされていることから、「オペレータは次の項目選択ボタン23をクリック」すると、「各クリック」により、「表示メニュー19」に表示された「凡例」は、変化し、これらの変化は「メニュー項目31のリストを下方に移動」する順序となっているものである。
　ここで、「メニュー項目31のリスト」は、複数の「凡例」が表示されたリストであることが見て取れるから、引用プログラム発明の「クリック」される毎に「メニュー項目31のリストを下方に移動」する順序で「表示メニュー19」に「表示された凡例」が変化する「次の項目選択ボタン23」は、本願発明４の「複数の選択候補に含まれる各選択候補を１つずつ所定の順で切り替えて表示する操作を受け付ける切替表示部品」に相当する。
エ．引用プログラム発明では、「マウスポインタアイコン29は、メニュー拡張ボタン21の上に(マウス9のオペレータ動作によって)配置されて、メニュー拡張ボタン21に近接した領域に、開いたドロップダウンメニュー項目31を生成するために、このボタンを「クリック」」するとの特定がされており、引用プログラム発明の「メニュー項目31」は、引用文献１では「リスト31」とも記載され、当該「メニュー項目31」あるいは「リスト31」は、上記ウで示したように、「ドロップダウン」として「生成」される、複数の「凡例」を含む「メニュー項目31」であることから、引用プログラム発明の「オペレータ動作によって」「マウスポインタアイコン29」が「配置されて、」「クリック」されることで、複数の「凡例」を含む「メニュー項目31」であるリストを表示させる「メニュー拡張ボタン21」は、本願発明４の「前記複数の選択候補に含まれる２以上の選択候補をリスト表示させる指示を受け付けるリスト表示部品」に相当する。
オ．上記ウに示したように、引用プログラム発明の「表示メニュー19」は、「次の項目選択ボタン23」の「クリック」により、「各クリックで次の項目を下方に選択」した「凡例」を「表示」するから、本願発明４の「
切替
前記切替
カ．上記ア、ウ及びオを踏まえると、引用プログラム発明では、「ポインタアイコン29は、」「次の項目選択ボタン23の上に、配置され、」「次の項目選択ボタン23」を「クリック」する毎に、「表示メニュー19」に、「メニュー項目31のリストを下方に移動」する順序で「凡例」を「表示」することから、引用プログラム発明と、「前記切替表示部品に前記ポインタがある状態でボタンを押す入力操作を受け付けた場合に、前記
切替
キ．引用プログラム発明の「メニュー項目31」は、「マウスポインタアイコン29」を「メニュー拡張ボタン21の上に(マウス9のオペレータ動作によって)配置」し、「このボタンを「クリック」」した場合に、「ドロップダウン」としてを開くことにより「生成」される、複数の「凡例」を含む「メニュー項目のリスト」であり、また、「選択されるべきメニュー項目(例えば、32)の上にポインタアイコン29を位置決めすることによって個々に選択することができ」、当該「選択」された「凡例」を、「表示メニュー19」に表示することから、引用プログラム発明と、「前記リスト表示部品に前記ポインタがある状態でボタンを押す入力操作を受け付けた場合に、前記複数の選択候補に含まれる２以上の選択候補をリスト表示し、リスト表示された前記２以上の選択候補のうちのいずれかの選択に応じて、選択された選択候補を前記所定の順を経ずに前記
切替
ク．引用プログラム発明の「プログラム」は、「メニュー拡張ボタン21」や「次の項目選択ボタン23」により「オペレータ」に「凡例」を「選択」させるものであるから、後述する相違点を除き、本願発明４の「選択支援プログラム」に対応する。
　したがって、本願発明４と引用プログラム発明との間には、次の一致点、相違点があるといえる。
＜一致点＞
「　画面上を移動可能なポインタに対する移動指示の入力を受け付け、
　複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを表示し、
　表示部品には、前記選択されている選択候補を表示し、
　前記切替表示部品に前記ポインタがある状態でボタンを押す入力操作を受け付けた場合に、前記表示部品が表示する選択候補を前記所定の順で切り替えて表示し、
　前記リスト表示部品に前記ポインタがある状態でボタンを押す入力操作を受け付けた場合に、前記複数の選択候補に含まれる２以上の選択候補をリスト表示し、
　リスト表示された前記２以上の選択候補のうちのいずれかの選択に応じて、選択された選択候補を前記所定の順を経ずに前記表示部品の表示対象の選択候補に切り替える制御を実行する、
　処理をコンピュータに実行させることを特徴とする選択支援プログラム。」
＜相違点＞
（相違点３）
　本願発明４では、「複数の選択候補のうちのいずれかの選択候補であって選択されている選択候補のみを表示する第１の表示部品上に、前記ポインタが重畳していることを検出した場合に、前記第１の表示部品が表示されている領域を、複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを隣接させた表示に切り替え」るのに対し、
　引用プログラム発明には、本願発明４の「第１の表示部品」に相当する構成がなく、このような特定はなされていない点。
（相違点４）
　「前記選択されている選択候補を表示し」、「前記切替表示部品に前記ポインタがある状態でボタンを押す入力操作を受け付けた場合に、」「選択候補を前記所定の順で切り替えて表示」する「表示部品」は、本願発明４では、「切替表示部品」であるのに対し、引用プログラム発明では、「次の項目選択ボタン23」とは異なる「表示メニュー19」である点。
（相違点５）
　「リスト表示された前記２以上の選択候補のうちのいずれかの選択に応じて、」「表示対象の選択候補に切り替える」「表示部品」は、本願発明４では、「切替表示部品」であるのに対し、引用プログラム発明では、「次の項目選択ボタン23」とは異なる「表示メニュー19」である点。
（２）相違点についての判断
　相違点３について検討すると、相違点３に係る本願発明４の「複数の選択候補のうちのいずれかの選択候補であって選択されている選択候補のみを表示する第１の表示部品上に、前記ポインタが重畳していることを検出した場合に、前記第１の表示部品が表示されている領域を、複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを隣接させた表示に切り替え」るという構成は、上記引用文献２にも記載も示唆もされておらず、また、周知技術であるとも認められない。
　したがって、上記相違点４及び５ついて判断するまでもなく、本願発明４は、当業者であっても引用プログラム発明及び引用文献２に記載された技術的事項に基づいて容易に発明できたものであるとはいえない。
４．本願発明５について
（１）対比
　上記本願発明５と上記「第４　１．（２）ア」の引用装置発明とを対比すると、次のことがいえる。
ア．引用装置発明の「ディスプレイ5」及び「マウスポインタアイコン29」は、それぞれ本願発明５の「画面」及び「ポインタ」に相当する。そして、引用装置発明の「マウスポインタアイコン29」は、「マウス9のオペレータ動作によって」、「ディスプレイ5」に表示される「メニュー拡張ボタン21の上」や「次の項目選択ボタン23の上」に「配置され」ることから、引用装置発明の「オペレータ動作によって」、「ディスプレイ5」の表示において「マウスポインタアイコン29」の「配置」を受け付ける「マウス9」は、本願発明５の「画面上を移動可能なポインタに対する移動指示の入力を受け付ける受付部」に相当する。
イ．引用装置発明の「選択されるべきメニュー項目」には、「チャンネル１１」を示す「メニューリスト項目32」、「凡例34」の「BIT 14:POD C2 CHANNEL 23」、「凡例35」の「BIT 15:POD C2 CHANNEL 24」、「凡例36」の「bit 28 Pod D1 Channel 36」などがあり、「選択されるべきメニュー項目(例えば、32)の上にポインタアイコン29を位置決めすることによって個々に選択することができ」ることから、これらの個々の「凡例」は、本願発明５の「選択候補」に相当する。また、これら「凡例34」、「凡例35」及び「凡例36」等の複数の「凡例」は、本願発明５の「複数の選択候補」に相当する。
ウ．引用装置発明では、「ポインタアイコン29は、次の項目選択ボタン23の上に配置され、オペレータは次の項目選択ボタン23をクリックし、表示メニュー19は、メニューリスト項目(32)の下のメニューリスト項目である「BIT 14:POD C2 CHANNEL 23」で示される凡例34を表示するように変化し、次の項目選択ボタン23をクリックすると、メニュー項目31のリストを下方に移動し、各クリックで次の項目を下方に選択し、」「再び、オペレータは次の項目選択ボタン23をクリックし、表示メニュー19は、メニューリスト項目(34)の下のメニューリスト項目である「BIT 15:POD C2 CHANNEL 24」で示される凡例35を表示するように変化し、次に、オペレータは、次の項目選択ボタン23をさらにもう1回クリックし、これにより、チャネル36が選択され」るとの特定がされていることから、「オペレータは次の項目選択ボタン23をクリック」すると、「各クリック」により、「表示メニュー19」に表示された「凡例」は、変化し、これらの変化は「メニュー項目31のリストを下方に移動」する順序となっているものである。
　ここで、「メニュー項目31のリスト」は、複数の「凡例」が表示されたリストであることが見て取れるから、引用装置発明の「クリック」される毎に「メニュー項目31のリストを下方に移動」する順序で「表示メニュー19」に「表示された凡例」が変化する「次の項目選択ボタン23」は、本願発明５の「複数の選択候補に含まれる各選択候補を１つずつ所定の順で切り替えて表示する操作を受け付ける第２の表示部品
が表示される第１の領域
エ．引用装置発明では、「マウスポインタアイコン29は、メニュー拡張ボタン21の上に(マウス9のオペレータ動作によって)配置されて、ドロップダウンを開くためメニュー31を生成するために、このボタンを「クリック」す」るとの特定がされており、引用装置発明の「メニュー項目31」は、引用文献１では「リスト31」とも記載され、当該「メニュー項目31」あるいは「リスト31」は、上記ウで示したように、「ドロップダウン」として「生成」される、複数の「凡例」を含む「メニュー項目31」であることから、引用装置発明の「オペレータ動作によって」「マウスポインタアイコン29」が「配置されて、」「クリック」されることで、複数の「凡例」を含む「メニュー項目31のリスト」を表示させる「メニュー拡張ボタン21」は、本願発明５の「前記複数の選択候補に含まれる２以上の選択候補をリスト表示させる指示を受け付ける第３の表示部品
が表示される第２の領域
オ．上記ウに示したように、引用装置発明の「表示メニュー19」は、「次の項目選択ボタン23」の「クリック」により、「各クリックで次の項目を下方に選択」した「凡例」を「表示」するから、本願発明５の「
第２の
前記第２の
カ．上記ア、ウ及びオを踏まえると、引用装置発明では、「ポインタアイコン29は、」「次の項目選択ボタン23の上に、配置され、」「次の項目選択ボタン23」を「クリック」する毎に、「表示メニュー19」に、「メニュー項目31のリストを下方に移動」する順序で「凡例」を「表示」することから、引用装置発明のこのクリックする毎に表示をすることと、「
前記表示制御部は、
第２の
第２の
キ．引用装置発明の「メニュー項目31」は、「マウスポインタアイコン29」を「メニュー拡張ボタン21の上に(マウス9のオペレータ動作によって)配置」し、「このボタンを「クリック」」した場合に、「ドロップダウン」としてを開くことにより「生成」される、複数の「凡例」を含む「メニュー項目のリスト」であり、また、「選択されるべきメニュー項目(例えば、32)の上にポインタアイコン29を位置決めすることによって個々に選択することができ」るものであるから、当該「メニュー31」は、本願発明５の「前記第２の領域に前記ポインタがある状態でボタンを押す入力操作を受け付けた場合に、前記複数の選択候補に含まれる２以上の選択候補を一覧にし、かついずれかの選択候補を選択可能にしたリスト」に相当する。
　そして、引用装置発明の当該「メニュー項目31」は、「メニュー拡張ボタン21に近接した領域」に生成されるものであるから、引用装置発明と本願発明５とは、「前記第２の領域に前記ポインタがある状態でボタンを押す入力操作を受け付けた場合に、前記複数の選択候補に含まれる２以上の選択候補を一覧にし、かついずれかの選択候補を選択可能にしたリストを、前記第３の表示部品に近接した領域に表示する」点で共通している。
ク．引用装置発明の「アイ・ダイアグラム・アナライザ(EDA)4」は、「メニュー拡張ボタン21」や「次の項目選択ボタン23」により「オペレータ」に「凡例」を「選択」させるものであるから、後述する相違点を除き、本願発明５の「選択支援装置」に対応する。
　したがって、本願発明５と引用装置発明との間には、次の一致点、相違点があるといえる。
＜一致点＞
「　画面上を移動可能なポインタに対する移動指示の入力を受け付ける受付部と、
　複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを表示し、
　表示部品には前記選択されている選択候補を表示し、前記第１の領域に前記ポインタがある状態でボタンを押す入力操作を受け付ける度に前記複数の選択候補に含まれる各選択候補を１つずつ所定の順で切り替えて前記表示部品に表示し、前記第２の領域に前記ポインタがある状態でボタンを押す入力操作を受け付けた場合に、前記複数の選択候補に含まれる２以上の選択候補を一覧にし、かついずれかの選択候補を選択可能にしたリストを、前記第３の表示部品に近接した領域に表示する、
　ことを特徴とする選択支援装置。」
＜相違点＞
（相違点６）
　本願発明５では、「複数の選択候補のうちのいずれかの選択候補であって選択されている選択候補のみを表示する第１の表示部品上に、前記ポインタが重畳していることを検出する検出部」を備えるのに対し、引用装置発明には、本願発明５の「第１の表示部品」に相当する構成がなく、このような「検出部」の特定はなされていない点。
（相違点７）
　本願発明５では、「前記検出部による検出に応じて、前記第１の表示部品が表示されている領域を、前記複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを含む表示に切り替る表示制御部」を備えるのに対し、引用装置発明には、そのような特定はなされていない点。
（相違点８）
　「前記選択されている選択候補を表示し」、「前記第１の領域に前記ポインタがある状態でボタンを押す入力操作を受け付ける度に前記複数の選択候補に含まれる各選択候補を１つずつ所定の順で切り替えて」「表示」する「表示部品」は、本願発明５では、「第２の表示部品」であるのに対し、引用装置発明では、「次の項目選択ボタン23」とは異なる「表示メニュー19」である点。
（２）相違点についての判断
　事案に鑑み、相違点７について先に検討すると、相違点７に係る本願発明５の「前記検出部による検出に応じて、前記第１の表示部品が表示されている領域を、前記複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを含む表示に切り替る表示制御部」という構成は、上記引用文献２にも記載も示唆もされておらず、また、周知技術であるとも認められない。
　したがって、上記相違点６及び８ついて判断するまでもなく、本願発明５は、当業者であっても引用装置発明及び引用文献２に記載された技術的事項に基づいて容易に発明できたものであるとはいえない。
５．本願発明６について
（１）対比
　上記本願発明６と上記「第４　１．（２）ア」の引用装置発明とを対比すると、次のことがいえる。
ア．引用装置発明の「ディスプレイ5」及び「マウスポインタアイコン29」は、それぞれ本願発明６の「画面」及び「ポインタ」に相当する。そして、引用装置発明の「マウスポインタアイコン29」は、「マウス9のオペレータ動作によって」、「ディスプレイ5」に表示される「メニュー拡張ボタン21の上」や「次の項目選択ボタン23の上」に「配置され」ることから、引用装置発明の「オペレータ動作によって」、「ディスプレイ5」の表示において「マウスポインタアイコン29」の「配置」を受け付ける「マウス9」は、本願発明６の「画面上を移動可能なポインタに対する移動指示の入力を受け付ける受付部」に相当する。
イ．引用装置発明の「選択されるべきメニュー項目」には、「チャンネル１１」を示す「メニューリスト項目32」、「凡例34」の「BIT 14:POD C2 CHANNEL 23」、「凡例35」の「BIT 15:POD C2 CHANNEL 24」、「凡例36」の「bit 28 Pod D1 Channel 36」などがあり、「選択されるべきメニュー項目(例えば、32)の上にポインタアイコン29を位置決めすることによって個々に選択することができ」ることから、これらの個々の「凡例」は、本願発明６の「選択候補」に相当する。また、これら「凡例34」、「凡例35」及び「凡例36」等の複数の「凡例」は、本願発明６の「複数の選択候補」に相当する。
ウ．引用装置発明では、「ポインタアイコン29は、次の項目選択ボタン23の上に配置され、オペレータは次の項目選択ボタン23をクリックし、表示メニュー19は、メニューリスト項目(32)の下のメニューリスト項目である「BIT 14:POD C2 CHANNEL 23」で示される凡例34を表示するように変化し、次の項目選択ボタン23をクリックすると、メニュー項目31のリストを下方に移動し、各クリックで次の項目を下方に選択し、」「再び、オペレータは次の項目選択ボタン23をクリックし、表示メニュー19は、メニューリスト項目(34)の下のメニューリスト項目である「BIT 15:POD C2 CHANNEL 24」で示される凡例35を表示するように変化し、次に、オペレータは、次の項目選択ボタン23をさらにもう1回クリックし、これにより、チャネル36が選択されるとの特定がされていることから、「オペレータは次の項目選択ボタン23をクリック」すると、「各クリック」により、「表示メニュー19」に「表示された凡例」は変化し、これらの変化は「メニュー項目31のリストを下方に移動」する順序となっているものである。
　ここで、「メニュー項目31のリスト」は、複数の「凡例」が表示されたリストであることが見て取れるから、引用装置発明の「クリック」される毎に「メニュー項目31のリストを下方に移動」する順序で「表示メニュー19」に「表示された凡例」が変化する「次の項目選択ボタン23」は、本願発明６の「複数の選択候補に含まれる各選択候補を１つずつ所定の順で切り替えて表示する操作を受け付ける切替表示部品」に相当する。
エ．引用装置発明では、「マウスポインタアイコン29は、メニュー拡張ボタン21の上に(マウス9のオペレータ動作によって)配置されて、メニュー拡張ボタン21に近接した領域に、開いたドロップダウンメニュー項目31を生成するために、このボタンを「クリック」」するとの特定がされており、引用プログラム発明の「メニュー項目31」は、引用文献１では「リスト31」とも記載され、当該「メニュー項目31」あるいは「リスト31」は、上記ウで示したように、「ドロップダウン」として「生成」される、複数の「凡例」を含む「メニュー項目31」であることから、引用装置発明の「オペレータ動作によって」「マウスポインタアイコン29」が「配置されて、」「クリック」されることで、複数の「凡例」を含む「メニュー項目31のリスト」を表示させる「メニュー拡張ボタン21」は、本願発明６の「前記複数の選択候補に含まれる２以上の選択候補をリスト表示させる指示を受け付けるリスト表示部品」に相当する。
オ．上記ウに示したように、引用装置発明の「表示メニュー19」は、「次の項目選択ボタン23」の「クリック」により、「各クリックで次の項目を下方に選択」した「凡例」を「表示」するから、本願発明６の「
切替
前記切替
カ．上記ア、ウ及びオを踏まえると、引用装置発明では、「ポインタアイコン29は、」「次の項目選択ボタン23の上に、配置され、」「次の項目選択ボタン23」を「クリック」する毎に、「表示メニュー19」に、「メニュー項目31のリストを下方に移動」する順序で「凡例」を「表示」することから、引用装置発明のこのクリックする毎に表示をすることと、「
前記表示制御部は、
切替
切替
キ．引用装置発明の「メニュー項目31」は、「マウスポインタアイコン29」を「メニュー拡張ボタン21の上に(マウス9のオペレータ動作によって)配置」し、「このボタンを「クリック」」した場合に、「ドロップダウン」としてを開くことにより「生成」される、複数の「凡例」を含む「メニュー項目のリスト」であり、また、「選択されるべきメニュー項目(例えば、32)の上にポインタアイコン29を位置決めすることによって個々に選択することができ」、当該「選択」された「凡例」を、「表示メニュー19」に表示することから、引用装置発明と、「前記リスト表示部品に前記ポインタがある状態でボタンを押す入力操作を受け付けた場合に、前記複数の選択候補に含まれる２以上の選択候補をリスト表示し、リスト表示された前記２以上の選択候補のうちのいずれかの選択に応じて、選択された選択候補を前記所定の順を経ずに前記
切替
ク．引用装置発明の「アイ・ダイアグラム・アナライザ(EDA)4」は、「メニュー拡張ボタン21」や「次の項目選択ボタン23」により「オペレータ」に「凡例」を「選択」させるものであるから、後述する相違点を除き、本願発明６の「選択支援装置」に共通する。
　したがって、本願発明６と引用装置発明との間には、次の一致点、相違点があるといえる。
＜一致点＞
「　画面上を移動可能なポインタに対する移動指示の入力を受け付ける受付部と、
　複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを表示し、
　表示部品に前記選択されている選択候補を表示し、前記切替表示部品に前記ポインタがある状態でボタンを押す入力操作を受け付けた場合に、前記表示部品が表示する選択候補を前記所定の順で切り替えて表示し、前記リスト表示部品に前記ポインタがある状態でボタンを押す入力操作を受け付けた場合に、前記複数の選択候補に含まれる２以上の選択候補をリスト表示し、リスト表示された前記２以上の選択候補のうちのいずれかの選択に応じて、選択された選択候補を前記所定の順を経ずに前記表示部品の表示対象の選択候補に切り替える制御を実行する、
　ことを特徴とする選択支援装置。
＜相違点＞
（相違点９）
　本願発明６では、「複数の選択候補のうちのいずれかの選択候補であって選択されている選択候補のみを表示する第１の表示部品上に、前記ポインタが重畳していることを検出する検出部」を備えるのに対し、引用装置発明には、本願発明６の「第１の表示部品」に相当する構成がなく、このような「検出部」の特定はなされていない点。
（相違点１０）
　本願発明６では、「前記検出部による検出に応じて、前記第１の表示部品が表示されている領域を、複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを隣接させた表示に切り替える表示制御部」を備えるのに対し、引用装置発明には、そのような特定はなされていない点。
（相違点１１）
　「前記選択されている選択候補を表示し」、「前記切替表示部品に前記ポインタがある状態でボタンを押す入力操作を受け付けた場合に、」「選択候補を前記所定の順で切り替えて表示」する「表示部品」は、本願発明６では、「前記切替表示部品」であるのに対し、引用装置発明では、「次の項目選択ボタン23」とは異なる「表示メニュー19」である点。
（相違点１２）
　「リスト表示された前記２以上の選択候補のうちのいずれかの選択に応じて、」「表示対象の選択候補に切り替える」「表示部品」は、本願発明６では、「切替表示部品」であるのに対し、引用装置発明では、「次の項目選択ボタン23」とは異なる「表示メニュー19」である点。
（２）相違点についての判断
　事案に鑑み、相違点１０について先に検討すると、相違点１０に係る本願発明６の「前記検出部による検出に応じて、前記第１の表示部品が表示されている領域を、複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを隣接させた表示に切り替える表示制御部」という構成は、上記引用文献２にも記載も示唆もされておらず、また、周知技術であるとも認められない。
　したがって、上記相違点９、１１及び１２ついて判断するまでもなく、本願発明６は、当業者であっても引用装置発明及び引用文献２に記載された技術的事項に基づいて容易に発明できたものであるとはいえない。
６．本願発明７について
（１）対比
　上記本願発明７と上記「第４　１．（２）ウ」の引用方法発明とを対比すると、次のことがいえる。
ア．引用方法発明の「ディスプレイ5」及び「マウスポインタアイコン29」は、それぞれ本願発明７の「画面」及び「ポインタ」に相当する。そして、引用方法発明の「マウスポインタアイコン29」は、「マウス9のオペレータ動作によって」、「ディスプレイ5」に表示される「メニュー拡張ボタン21の上」や「次の項目選択ボタン23の上」に「配置され」ることから、引用方法発明は、「ディスプレイ5」の表示において「オペレータ動作によって」「マウスポインタアイコン29」の「配置」を受け付けるといえる。したがって、引用方法発明と、本願発明７とは、「画面上を移動可能なポインタに対する移動指示の入力を受け付け」る点で共通する。
イ．引用方法発明の「選択されるべきメニュー項目」には、「チャンネル１１」を示す「メニューリスト項目32」、「凡例34」の「BIT 14:POD C2 CHANNEL 23」、「凡例35」の「BIT 15:POD C2 CHANNEL 24」、「凡例36」の「bit 28 Pod D1 Channel 36」などがあり、「選択されるべきメニュー項目(例えば、32)の上にポインタアイコン29を位置決めすることによって個々に選択することができ」ることから、これらの個々の「凡例」は、本願発明７の「選択候補」に相当する。また、これら「凡例34」、「凡例35」及び「凡例36」等の複数の「凡例」は、本願発明７の「複数の選択候補」に相当する。
ウ．引用方法発明では、「ポインタアイコン29は、次の項目選択ボタン23の上に配置され、オペレータは次の項目選択ボタン23をクリックし、表示メニュー19は、メニューリスト項目(32)の下のメニューリスト項目である「BIT 14:POD C2 CHANNEL 23」で示される凡例34を表示するように変化し、次の項目選択ボタン23をクリックすると、メニュー項目31のリストを下方に移動し、各クリックで次の項目を下方に選択し、」「再び、オペレータは次の項目選択ボタン23をクリックし、表示メニュー19は、メニューリスト項目(34)の下のメニューリスト項目である「BIT 15:POD C2 CHANNEL 24」で示される凡例35を表示するように変化し、次に、オペレータは、次の項目選択ボタン23をさらにもう1回クリックし、これにより、チャネル36が選択され」るとの特定がされていることから、「オペレータは次の項目選択ボタン23をクリック」すると、「各クリック」により、「表示メニュー19」に「表示された凡例」は、変化し、これらの変化は「メニュー項目31のリストを下方に移動」する順序となっているものである。
　ここで、「メニュー項目31のリスト」は、複数の「凡例」が表示されたリストであることが見て取れるから、引用方法発明の「クリック」される毎に「メニュー項目31のリストを下方に移動」する順序で「表示メニュー19」に「表示された凡例」が変化する「次の項目選択ボタン23」は、本願発明７の「複数の選択候補に含まれる各選択候補を１つずつ所定の順で切り替えて表示する操作を受け付ける第２の表示部品
が表示される第１の領域
エ．引用方法発明では、「マウスポインタアイコン29は、メニュー拡張ボタン21の上に(マウス9のオペレータ動作によって)配置されて、メニュー拡張ボタン21に近接した領域に、開いたドロップダウンメニュー項目31を生成するために、このボタンを「クリック」」るとの特定がされており、引用方法発明の「メニュー項目31」は、引用文献１では「リスト31」とも記載され、当該「メニュー項目31」あるいは「リスト31」は、上記ウで示したように、「ドロップダウン」として「生成」される、複数の「凡例」を含む「メニュー項目31」であることから、引用方法発明の「オペレータ動作によって」「マウスポインタアイコン29」が「配置されて、」「クリック」されることで、複数の「凡例」を含む「メニュー項目31のリスト」を表示させる「メニュー拡張ボタン21」は、本願発明７の「前記複数の選択候補に含まれる２以上の選択候補をリスト表示させる指示を受け付ける第３の表示部品
が表示される第２の領域
オ．上記ウに示したように、引用方法発明の「表示メニュー19」は、「次の項目選択ボタン23」の「クリック」により、「各クリックで次の項目を下方に選択」した「凡例」を「表示」するから、本願発明７の「
第２の
前記第２の
カ．上記ア、ウ及びオを踏まえると、引用方法発明では、「ポインタアイコン29は、」「次の項目選択ボタン23の上に、配置され、」「次の項目選択ボタン23」を「クリック」する毎に、「表示メニュー19」に、「メニュー項目31のリストを下方に移動」する順序で「凡例」を「表示」することから、引用方法発明のこのクリックする毎に表示をすることと、「前記第１の領域に前記ポインタがある状態でボタンを押す入力操作を受け付ける度に、前記複数の選択候補に含まれる各選択候補を１つずつ所定の順で切り替えて前記
第２の
キ．引用方法発明の「メニュー項目31」は、「マウスポインタアイコン29」を「メニュー拡張ボタン21の上に(マウス9のオペレータ動作によって)配置」し、「このボタンを「クリック」」した場合に、「ドロップダウン」としてを開くことにより「生成」される、複数の「凡例」を含む「メニュー項目のリスト」であり、また、「選択されるべきメニュー項目(例えば、32)の上にポインタアイコン29を位置決めすることによって個々に選択することができ」るものであるから、当該「メニュー項目31」は、本願発明７の「前記第２の領域に前記ポインタがある状態でボタンを押す入力操作を受け付けた場合に、前記複数の選択候補に含まれる２以上の選択候補を一覧にし、かついずれかの選択候補を選択可能にしたリスト」に相当する。
　そして、引用プログラム発明の当該「メニュー項目31」は、「メニュー拡張ボタン21に近接した領域」に生成されるものであるから、引用方法発明と本願発明７とは、「前記第２の領域に前記ポインタがある状態でボタンを押す入力操作を受け付けた場合に、前記複数の選択候補に含まれる２以上の選択候補を一覧にし、かついずれかの選択候補を選択可能にしたリストを、前記第３の表示部品に近接した領域に表示する」点で共通している。
ク．引用方法発明の「方法」は、「メニュー拡張ボタン21」や「次の項目選択ボタン23」により「オペレータ」に「凡例」を「選択」させる方法であるから、後述する相違点を除き、本願発明７の「選択支援方法」に対応する。
　したがって、本願発明７と引用方法発明との間には、次の一致点、相違点があるといえる。
＜一致点＞
「　画面上を移動可能なポインタに対する移動指示の入力を受け付け、
　複数の選択候補に含まれる各選択候補を１つずつ所定の順で切り替えて表示する操作を受け付ける第２の表示部品が表示される第１の領域と、
　前記複数の選択候補に含まれる２以上の選択候補をリスト表示させる指示を受け付ける第３の表示部品が表示される第２の領域とを表示し、
　表示部品には現在選択されている選択候補を表示し、
　前記第１の領域に前記ポインタがある状態でボタンを押す入力操作を受け付ける度に、前記複数の選択候補に含まれる各選択候補を１つずつ所定の順で切り替えて前記表示部品に表示し、
　前記第２の領域に前記ポインタがある状態でボタンを押す入力操作を受け付けた場合に、前記複数の選択候補に含まれる２以上の選択候補を一覧にし、かついずれかの選択候補を選択可能にしたリストを、前記第３の表示部品に近接した領域に表示する
　処理をコンピュータが実行することを特徴とする選択支援方法。」
＜相違点＞
（相違点１３）
　本願発明７では、「複数の選択候補のうちのいずれかの選択候補であって選択されている選択候補のみを表示する第１の表示部品上に、前記ポインタが重畳していることを検出した場合に、前記第１の表示部品が表示されている領域を、前記複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを含む表示に切り替え」るのに対し、引用方法発明には、本願発明７の「第１の表示部品」に相当する構成がなく、このような特定はなされていない点。
（相違点１４）
　「現在選択されている選択候補を表示し」、「前記第１の領域に前記ポインタがある状態でボタンを押す入力操作を受け付ける度に」、「前記複数の選択候補に含まれる各選択候補を１つずつ所定の順で切り替えて」「表示」する「表示部品」は、本願発明７では、「前記第２の表示部品」であるのに対し、引用方法発明では、「次の項目選択ボタン23」とは異なる「表示メニュー19」である点。
（２）相違点についての判断
　相違点１３について検討すると、相違点１３に係る本願発明７の「複数の選択候補のうちのいずれかの選択候補であって選択されている選択候補のみを表示する第１の表示部品上に、前記ポインタが重畳していることを検出した場合に、前記第１の表示部品が表示されている領域を、前記複数の選択候補に含まれる各選択候補を１つずつ所定の順で切り替えて表示する操作を受け付ける第２の表示部品が表示される第１の領域と、前記複数の選択候補に含まれる２以上の選択候補をリスト表示させる指示を受け付ける第３の表示部品が表示される第２の領域とを含む表示に切り替え」るという構成は、上記引用文献２にも記載も示唆もされておらず、また、周知技術であるとも認められない。
　したがって、上記相違点１４ついて判断するまでもなく、本願発明７は、当業者であっても引用方法発明及び引用文献２に記載された技術的事項に基づいて容易に発明できたものであるとはいえない。
７．本願発明８について
（１）対比
　上記本願発明８と上記「第４　１．（２）ウ」の引用方法発明とを対比すると、次のことがいえる。
ア．引用方法発明の「ディスプレイ5」及び「マウスポインタアイコン29」は、それぞれ本願発明８の「画面」及び「ポインタ」に相当する。そして、引用方法発明の「マウスポインタアイコン29」は、「マウス9のオペレータ動作によって」、「ディスプレイ5」に表示される「メニュー拡張ボタン21の上」や「次の項目選択ボタン23の上」に「配置され」ることから、引用方法発明は、「ディスプレイ5」の表示において「オペレータ動作によって」「マウスポインタアイコン29」の「配置」を受け付けるといえる。したがって、引用方法発明と、本願発明８とは、「画面上を移動可能なポインタに対する移動指示の入力を受け付け」る点で共通する。
イ．引用方法発明の「選択されるべきメニュー項目」には、「チャンネル１１」を示す「メニューリスト項目32」、「凡例34」の「BIT 14:POD C2 CHANNEL 23」、「凡例35」の「BIT 15:POD C2 CHANNEL 24」、「凡例36」の「bit 28 Pod D1 Channel 36」などがあり、「選択されるべきメニュー項目(例えば、32)の上にポインタアイコン29を位置決めすることによって個々に選択することができ」ることから、これらの個々の「凡例」は、本願発明８の「選択候補」に相当する。また、これら「凡例34」、「凡例35」及び「凡例36」等の複数の「凡例」は、本願発明８の「複数の選択候補」に相当する。
ウ．引用方法発明では、「ポインタアイコン29は、次の項目選択ボタン23の上に配置され、オペレータは次の項目選択ボタン23をクリックし、表示メニュー19は、メニューリスト項目(32)の下のメニューリスト項目である「BIT 14:POD C2 CHANNEL 23」で示される凡例34を表示するように変化し、次の項目選択ボタン23をクリックすると、メニュー項目31のリストを下方に移動し、各クリックで次の項目を下方に選択し、」「再び、オペレータは次の項目選択ボタン23をクリックし、表示メニュー19は、メニューリスト項目(34)の下のメニューリスト項目である「BIT 15:POD C2 CHANNEL 24」で示される凡例35を表示するように変化し、次に、オペレータは、次の項目選択ボタン23をさらにもう1回クリックし、これにより、チャネル36が選択され」るとの特定がされていることから、「オペレータは次の項目選択ボタン23をクリック」すると、「各クリック」により、「表示メニュー19」に「表示された凡例」は変化し、これらの変化は「メニュー項目31のリストを下方に移動」する順序となっているものである。
　ここで、「メニュー項目31のリスト」は、複数の「凡例」が表示されたリストであることが見て取れるから、引用方法発明の「クリック」される毎に「メニュー項目31のリストを下方に移動」する順序で「表示メニュー19」に「表示された凡例」が変化する「次の項目選択ボタン23」は、本願発明８の「複数の選択候補に含まれる各選択候補を１つずつ所定の順で切り替えて表示する操作を受け付ける切替表示部品」に相当する。
エ．引用方法発明では、「マウスポインタアイコン29は、メニュー拡張ボタン21の上に(マウス9のオペレータ動作によって)配置されて、メニュー拡張ボタン21に近接した領域に、開いたドロップダウンメニュー項目31を生成するために、このボタンを「クリック」」するとの特定がされており、引用方法発明の「メニュー項目31」は、引用文献１では「リスト31」とも記載され、当該「メニュー項目31」あるいは「リスト31」は、上記ウで示したように、「ドロップダウン」として「生成」される、複数の「凡例」を含む「メニュー項目31」であることから、引用方法発明の「オペレータ動作によって」「マウスポインタアイコン29」が「配置されて、」「クリック」されることで、複数の「凡例」を含む「メニュー項目31のリスト」を表示させる「メニュー拡張ボタン21」は、本願発明８の「前記複数の選択候補に含まれる２以上の選択候補をリスト表示させる指示を受け付けるリスト表示部品」に相当する。
オ．上記ウに示したように、引用方法発明の「表示メニュー19」は、「次の項目選択ボタン23」の「クリック」により、「各クリックで次の項目を下方に選択」した「凡例」を「表示」するから、本願発明８の「
切替
前記切替
カ．上記ア、ウ及びオを踏まえると、引用方法発明では、「ポインタアイコン29は、」「次の項目選択ボタン23の上に、配置され、」「次の項目選択ボタン23」を「クリック」する毎に、「表示メニュー19」に、「メニュー項目31のリストを下方に移動」する順序で「凡例」を「表示」することから、引用方法発明このクリックする毎に表示をすることと、「前記切替表示部品に前記ポインタがある状態でボタンを押す入力操作を受け付けた場合に、前記
切替
キ．引用方法発明の「メニュー項目31」は、「マウスポインタアイコン29」を「メニュー拡張ボタン21の上に(マウス9のオペレータ動作によって)配置」し、「このボタンを「クリック」」した場合に、「ドロップダウン」としてを開くことにより「生成」される、複数の「凡例」を含む「メニュー項目のリスト」であり、また、「選択されるべきメニュー項目(例えば、32)の上にポインタアイコン29を位置決めすることによって個々に選択することができ」、当該「選択」された「凡例」を、「表示メニュー19」に表示することから、引用方法発明と、「前記リスト表示部品に前記ポインタがある状態でボタンを押す入力操作を受け付けた場合に、前記複数の選択候補に含まれる２以上の選択候補をリスト表示し、リスト表示された前記２以上の選択候補のうちのいずれかの選択に応じて、選択された選択候補を前記所定の順を経ずに前記
切替
ク．引用方法発明の「方法」は、「メニュー拡張ボタン21」や「次の項目選択ボタン23」により「オペレータ」に「凡例」を「選択」させる方法であるから、後述する相違点を除き、本願発明８の「選択支援方法」に対応する。
　したがって、本願発明８と引用方法発明との間には、次の一致点、相違点があるといえる。
＜一致点＞
「　画面上を移動可能なポインタに対する移動指示の入力を受け付け、
　複数の選択候補に含まれる各選択候補を１つずつ所定の順で切り替えて表示する操作を受け付ける切替表示部品と、
　前記複数の選択候補に含まれる２以上の選択候補をリスト表示させる指示を受け付けるリスト表示部品とを表示し、
　表示部品には、前記選択されている選択候補を表示し、　前記切替表示部品に前記ポインタがある状態でボタンを押す入力操作を受け付けた場合に、前記表示部品が表示する選択候補を前記所定の順で切り替えて表示し、
　前記リスト表示部品に前記ポインタがある状態でボタンを押す入力操作を受け付けた場合に、前記複数の選択候補に含まれる２以上の選択候補をリスト表示し、
　リスト表示された前記２以上の選択候補のうちのいずれかの選択に応じて、選択された選択候補を前記所定の順を経ずに前記表示部品の表示対象の選択候補に切り替える制御を実行する、
　処理をコンピュータが実行することを特徴とする選択支援方法。」
＜相違点＞
（相違点１５）
　本願発明８では、「複数の選択候補のうちのいずれかの選択候補であって選択されている選択候補のみを表示する第１の表示部品上に、前記ポインタが重畳していることを検出した場合に、前記第１の表示部品が表示されている領域を、複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを隣接させた表示に切り替え」るのに対し、引用方法発明には、本願発明８の「第１の表示部品」に相当する構成がなく、このような特定はなされていない点。
（相違点１６）
　「前記選択されている選択候補を表示し」、「前記切替表示部品に前記ポインタがある状態でボタンを押す入力操作を受け付けた場合に」、「選択候補を前記所定の順で切り替えて表示」する「表示部品」は、本願発明８では、「切替表示部品」であるのに対し、引用方法発明では、「次の項目選択ボタン23」とは異なる「表示メニュー19」である点。
（相違点１７）
「リスト表示された前記２以上の選択候補のうちのいずれかの選択に応じて、」「表示対象の選択候補に切り替える」「表示部品」は、本願発明８では、「切替表示部品」であるのに対し、引用方法発明では、「次の項目選択ボタン23」とは異なる「表示メニュー19」である点。
（２）相違点についての判断
　相違点１５について検討すると、相違点１５に係る本願発明８の「複数の選択候補のうちのいずれかの選択候補であって選択されている選択候補のみを表示する第１の表示部品上に、前記ポインタが重畳していることを検出した場合に、前記第１の表示部品が表示されている領域を、複数の選択候補に含まれる各選択候補を１つずつ所定の順で切り替えて表示する操作を受け付ける切替表示部品と、前記複数の選択候補に含まれる２以上の選択候補をリスト表示させる指示を受け付けるリスト表示部品とを隣接させた表示に切り替え」るという構成は、上記引用文献２にも記載も示唆もされておらず、また、周知技術であるとも認められない。
　したがって、上記相違点１６及び１７ついて判断するまでもなく、本願発明８は、当業者であっても引用方法発明及び引用文献２に記載された技術的事項に基づいて容易に発明できたものであるとはいえない。
第５　原査定の概要及び原査定についての判断
　原査定は、請求項１−９について、上記引用文献１、２に基づいて、当業者が容易に発明できたものであるから、特許法第２９条第２項の規定により特許を受けることができないというものである。しかしながら、令和３年３月１日付け手続補正により補正された請求項１−３は、上記相違点１に対応する構成を有するものとなっており、請求項４は、上記相違点３に対応する構成を有するものとなっており、請求項５は、上記相違点７に対応する構成を有するものとなっており、請求項６は、上記相違点１０に対応する構成を有するものとなっており、請求項７は、上記相違点１３に対応する構成を有するものとなっており、請求項８は、上記相違点１５に対応する構成を有するものとなっている。
　したがって、上記のとおり、本願発明１−８は、上記引用文献１に記載された発明及び上記引用文献２に記載された技術的事項に基づいて、当業者が容易に発明できたものではない。したがって、原査定を維持することはできない。
第６　当審拒絶理由について
１．特許法第３６条第６項第２号について
（１）当審では、請求項１−３において、「選択候補に含まれる各選択候補を１つずつ所定の順で切り替えて表示」となるのは、切り替えられる前の表示である「前記第１の表示部品が表示されていた領域の表示」ではないものと把握されるため、請求項１−３の記載は、技術的に不明確であるとの拒絶の理由を通知しているが、令和３年３月１日に提出された手続補正書において、「前記第
２
に、
　また、請求項５及び７についても、同様の理由により、技術的に不明確であるとの拒絶の理由を通知しているが、上記と同様の補正がされた結果、この拒絶の理由は解消した。
（２）当審では、請求項１−３において、「リスト」を表示する「領域」がどの「領域に近接した領域」であるかを、切り替えられる前の表示がされていた領域で特定しているので、請求項１−３の記載は、技術的に不明確な表現となっているとの拒絶の理由を通知しているが、令和３年３月１日に提出された手続補正書において、「前記第
３
品に
　また、請求項５及び７についても、同様の理由により、技術的に不明確であるとの拒絶の理由を通知しているが、上記と同様の補正がされた結果、この拒絶の理由は解消した。
（３）当審では、請求項１−３の「複数の選択候補のうちのいずれかの選択候補を表示する第１の表示部品上に、」との記載について、上記「第１の表示部品」に表示するのは、「いずれかの選択候補」のうち、どの選択候補を表示するのか不明確であるとの拒絶の理由を通知しているが、令和３年３月１日に提出された手続補正書において、「複数の選択候補のうちのいずれかの選択候補
であって選択されている選択候補のみ
　また、請求項４−８についても、同様の理由により、不明確であるとの拒絶の理由を通知しているが、上記と同様の補正がされた結果、この拒絶の理由は解消した。
（４）当審では、請求項１−３における「第２の表示部品」についても、上記（３）と同様に、どの選択候補を表示するのか不明確であるとの拒絶の理由を通知しているが、令和３年３月１日に提出された手続補正書において、「
前記第２の表示部品には、前記選択されている選択候補を表示し、
　また、請求項５及び７についても、同様の理由により、不明確であるとの拒絶の理由を通知しているが、上記と同様の補正がされた結果、この拒絶の理由は解消した。
（５）当審では、請求項４における「切替表示部品」についても、上記（３）と同様に、どの選択候補を表示するのか不明確であるとの拒絶の理由を通知しているが、令和３年３月１日に提出された手続補正書において、「
前記切替表示部品には、前記選択されている選択候補を表示し、
　また、請求項６及び８についても、同様の理由により、不明確であるとの拒絶の理由を通知しているが、上記と同様の補正がされた結果、この拒絶の理由は解消した。
第７　むすび
　以上のとおり、本願発明１−８は、当業者が引用プログラム発明、引用装置発明又は引用方法発明、及び引用文献２に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。